(57)【要約】【課題】装置の幅の大型化を防ぎながら磁気スワイプリーダーを配置することが好ましい。【解決手段】媒体を搬送する搬送路の一面側を形成する本体ユニットと、前記本体ユニットに対して開閉自在に配設され、閉状態では該本体ユニットと所定の間隔で対向することで搬送路の他面側を形成する開閉ユニットと、磁気スワイプリーダーを含む電装部品ユニットとを備え、前記電装部品ユニットの長手方向が搬送路に沿う向きで前記開閉ユニットに配置され、前記電装部品ユニットの壁面が前記搬送路の一部を形成する。【選択図】図１
2017199327.tif 000002
【特許請求の範囲】
【請求項１】
媒体を搬送する搬送路の一面側を形成する本体ユニットと、
媒体に記録された情報を読み取る読取部と、
前記本体ユニットに対して開閉自在に配設され、閉状態では該本体ユニットと所定の間隔で対向することで搬送路の他面側を形成する開閉ユニットと、
磁気スワイプリーダーを含む電装部品ユニットと
を備え、
前記電装部品ユニットの長手方向が搬送路に沿う向きで前記開閉ユニットに配置されることを特徴とする情報読取装置。
【請求項２】
前記電装部品ユニットの壁面が前記搬送路の一部を形成すべく、
前記電装部品ユニットが前記搬送路に隣接して配置されていることを特徴とする請求項１に記載の情報読取装置。
【請求項３】
前記媒体の画像を読み取る画像読取部と、
前記媒体に印刷するためのエンドーサーと
を備え、
前記搬送路は前記本体ユニットの外周に沿って形成され、
前記電装部品ユニットと前記画像読取部と前記エンドーサーとが、前記搬送路を横断して直線上に配置されていることを特徴とする請求項１または２に記載の情報読取装置。
【請求項４】
前記読取装置において、前記開閉ユニットが開状態であるとき、前記電装部品ユニットによる処理を行なわないことを特徴とする請求項１から３のいずれか一項に記載の情報読取装置。
【請求項５】
前記本体ユニットに配設された第１接点部と、
前記開閉ユニットに配設された第２接点部と
を備え、
前記開閉ユニットが閉状態のとき、該第１接点部と該第２接点部が接触し前記本体ユニットと前記電装部品ユニットとが導通可能となり、前記開閉ユニットが開状態のとき、該第１接点部と該第２接点部が離間することを特徴とする請求項１から４のいずれか一項に記載の情報読取装置。
【発明の詳細な説明】
【技術分野】
【０００１】
本発明は、手形や小切手等の有価証券等の原稿の画像や、手形や小切手等に印刷された磁気インク文字を読み取る情報処理装置、情報処理装置の制御方法、制御プログラム等に関するものである。
【背景技術】
【０００２】
従来、銀行等の金融機関に持ち込まれた手形・小切手等は各銀行にて小切手の両面の画像を撮影し、更に印刷された磁気インク文字（ＭＩＣＲ文字）を読み取る装置を用いて自動的に分別集計され、手形交換所に持ち込まれている。近年、この手形交換所への持ち込み前の作業効率を向上させるために、手形・小切手等に印刷された磁気インク文字の読み取りと、両面画像イメージの読み取りの両方を行うことが可能な小切手処理装置が実用化されている。この小切手処理装置の画像イメージ読取部分については、近年の情報のデジタル化の流れにより、ＣＣＤやコンタクトイメージセンサ（ＣＩＳ）で読み取り、読み取った画像データをデジタル処理することにより、コンピュータで簡単に情報を管理運用できるようになっている。
【０００３】
また、最近では、小切手の処理を開始するにあたり、ドライバーズライセンスやＩＤカード等の磁気ストライプに記録されている磁気情報を読み込み、処理システムに名前等を自動で入力するために、磁気スワイプリーダーを備えたものがある。
【０００４】
特許文献１に開示された小切手読取装置の斜視図を図９に示しており、小切手処理装置３００のホッパー３１０の右脇に磁気スワイプリーダー３３５が設けられており、給紙ローラー３１２を右側に避けた位置に配設するものが開示されている。
【０００５】
また、特許文献２で開示された小切手読取装置の斜視図を図１０に示しており、小切手処理装置４００のホッパー４１０の右脇に磁気スワイプリーダー４３５が設けられているが、給紙ローラー４１２を手前上側に避けた位置に配設するものが開示されている。
【先行技術文献】
【特許文献】
【０００６】
【特許文献１】ＵＳ２０１４／０１８５９０９
【特許文献１】ＵＳ９０４９３２９
【発明の概要】
【発明が解決しようとする課題】
【０００７】
しかしながら、特許文献１の小切手処理装置のように磁気スワイプリーダーを給紙ローラーの右側に避けて配置すると、装置の幅が大きくなってしまう。例えば、小切手処理装置が設置される銀行などの金融機関の窓口の限られたスペースを圧迫してしまう。また、特許文献２の小切手処理装置のように磁気スワイプリーダーを給紙ローラーの手前上側へ避けて配置すると、ホッパー右側部が上方へせり出してくるため、小切手をホッパーに積載するときに小切手を持った手が磁気スワイプリーダーにぶつかり易くなり、小切手を積載しにくくなってしまう。
【０００８】
また、磁気スワイプリーダーを装置中央部(用紙搬送部の内側)に配置する場合、装置中央部に配設されているエンドーサーのインクカートリッジの交換を考慮すると、エンドーサーを前後または左右方向に避けた位置に配置することとなり、磁気スワイプリーダーの大きさ分だけ装置サイズが大きくなってしまう。
【課題を解決するための手段】
【０００９】
本発明に係る情報読取装置によれば、
媒体を搬送する搬送路の一面側を形成する本体ユニットと、
前記本体ユニットに対して開閉自在に配設され、閉状態では該本体ユニットと所定の間隔で対向することで搬送路の他面側を形成する開閉ユニットと、
磁気スワイプリーダーを実装した電装部品ユニットと
を備え、
前記電装部品ユニットの長手方向が搬送路に沿う向きで前記開閉ユニットに配置され、前記電装部品ユニットの壁面が前記搬送路の一部を形成する。
【発明の効果】
【００１０】
磁気スワイプリーダーを備えた情報処理装置において、ホッパーに対する小切手の積載性を損なうことなく装置の小型化が可能となる。
【図面の簡単な説明】
【００１１】
【図１】本発明の一実施形態に係る小切手処理装置の概略図。
【図２】本発明の一実施形態に係る給紙部の軸間調整機構の詳細図。
【図３】本発明の一実施形態に係る小切手処理装置の斜視図。
【図４】本発明の一実施形態に係る小切手処理装置において第１開閉ユニットが開いた状態の斜視図。
【図５】本発明の一実施形態に係る小切手処理装置において給紙ローラーカバーを外した状態の斜視図。
【図６】本発明の一実施形態に係る小切手処理装置において第１開閉ユニットおよび第２開閉ユニットが開いた状態の斜視図。
【図７】本発明の一実施形態に係る小切手処理装置の斜視図。
【図８】本発明の一実施形態に係る小切手処理装置において第１開閉ユニットが開いた状態の斜視図。
【図９】従来の小切手処理装置の概略図。
【図１０】従来の小切手処理装置の斜視図。
【発明を実施するための形態】
【００１２】
（第一実施形態）
以下、本発明に係る情報読取装置の好適な実施形態の一例として、小切手処理装置について図１を参照して詳細に説明する。   
【００１３】
図１は、本実施形態の磁気スワイプリーダーを備えた小切手処理装置１００を示す。この小切手処理装置１００は、銀行などの金融機関に顧客が持ち込こんだ手形・小切手などの両面の画像イメージと磁気インク印刷文字との両方の同時読み取りが可能である。画像イメージの読取部にはＣＣＤ（Ｃｈａｒｇｅ Ｃｏｕｐｌｅｄ Ｄｅｖｉｃｅ）やコンタクトイメージセンサ（ＣＩＳ）などが使用され、読み取った画像情報をデジタル信号データ化処理することにより、コンピュータで簡単に情報を管理運用できるようになっている。
【００１４】
搬送ローラー群を駆動する不図示の搬送モーター、給紙部のローラー群を駆動する給紙モーターを有し、これらの部品を含め装置全体を制御し、ホストコンピューターなどの上位装置との間で通信を行うコントローラーユニット４０を備えている。
【００１５】
装置の手前側には電源ボタン、小切手の処理を開始するスタートボタン等オペレーターが操作する操作パネル６０が設けられている。
【００１６】
小切手処理装置１００は手形あるいは小切手であるシートＳに印刷されたＭＩＣＲ文字、および両面の画像イメージを読み取るため、ここではシートＳをＭＩＣＲ文字の文字列方向に搬送して読み取りを行ない、インターフェースケーブルで接続された不図示の上位装置に読み取ったＭＩＣＲ文字データおよび両面の画像データを送信する。
【００１７】
また、装置前面には顧客のＩＤカードの画像を読み取るための、カード挿入口２３が設けられている。カード挿入口２３から挿入されたＩＤカードはシートＳの画像を読み取る読取センサーと同じ読取センサーを使って画像イメージが読み取られる。
【００１８】
以下、具体的に小切手処理装置について説明する。小切手処理装置１００は、装置内の清掃や、紙詰まり時にシートＳをシート搬送路７から取り出すために、シート搬送路７を境に一部が開閉する機構を備えている。シート搬送路７の内側に駆動搬送ローラーが設けられた本体ユニット１００ａが配置され、シート搬送路７の外側には本体ユニット１００ａに回転ヒンジ１００ｄを介して開閉可能に設けられた第１開閉ユニット１００ｂおよび第２開閉ユニット１００ｃが配置されている。
【００１９】
したがって、小切手処理装置の清掃等の際には、第１開閉ユニット１００ｂおよび第２開閉ユニット１００ｃを、回転ヒンジ１００ｄを軸として回動させ、本体ユニット１００ａに対して開くことで、シート搬送路７を露出した状態とすることが可能である。
【００２０】
小切手処理装置のホッパー２には、磁気インク文字が印刷された手形あるいは小切手であるシートＳが積載され、シートＳの左側に設けられた給紙押圧部材３によって給紙ローラー４に付勢されている。シートＳはコントローラーユニット４０の指示により給紙ローラー４を介して送りローラー５側に給紙され、分離ローラー６により１枚ずつに分離された後に、シート搬送路７に送り出される。
【００２１】
シート搬送路７に送りだされたシートＳは搬送ローラー対９によって、紙端検知センサー１０を経て読取部の一例としての磁気ヘッド１２に搬送され、磁気インク文字が読み取られる。シートＳの磁気インク文字を読み取った後に、搬送ローラー１３によって搬送されシートＳの裏面にエンドーサー１５で小切手を処理した日付等を印刷する。
【００２２】
エンドーサー１５を通過したシートＳは搬送ローラー対１４により搬送され、レジストセンサー１６で画像読み取りのタイミングを検出したのち、シートＳの両面の画像を読み取る画像読取センサー対３０に搬送され、シートＳの両面の画像が読み取られる。シートＳの画像を読み取った後に排紙ローラー１７により排紙スタッカー２１に排紙される。
【００２３】
小切手処理装置１００は、装置内の清掃や、紙詰まり時にシートＳをシート搬送路７から取り出すために、シート搬送路７を境に一部が開閉する機構を備えている。シート搬送路７の内側に複数の駆動搬送ローラーが設けられた本体ユニット１００ａが配置され、シート搬送路７の外側には本体ユニット１００ａに回転ヒンジ１００ｄを介して開閉可能に設けられた第１開閉ユニット１００ｂおよび第２開閉ユニット１００ｃが配置されている。
【００２４】
したがって、小切手処理装置の清掃等の際には、第１開閉ユニット１００ｂおよび第２開閉ユニット１００ｃを、回転ヒンジ１００ｄを軸として、本体ユニット１００ａに対して開いて、シート搬送路７を露出した状態とすることが可能である。また、本体ユニット１００ａには、第１開閉検知センサー３１および第２開閉検知センサー３２が設けられており、第１開閉ユニット１００ｂおよび第２開閉ユニット１００ｃそれぞれの開閉状態を検知することが可能である。
【００２５】
トレイ１は小切手処理装置１００の前面に回動可能に支持され、小切手処理装置１００の非使用時には本体前面に収納され装置前面を覆うカバーとなり、小切手処理装置１００の使用時には図１に示すように回動して装置前面に展開され、小切手処理装置１００に設けられたホッパー２に積載される手形・小切手の後端と、画像イメージと磁気インク印刷文字の読取を終えて排紙スタッカー２１に排紙された手形・小切手の先端を保持する機能を有している。
【００２６】
ホッパー２にシートＳが積載されると、ホッパー２に装着されている積載検知センサー２ａによってシートＳが認識される。この状態で、オペレーターが操作パネル６０上のスタートボタンを押すと、前述したホストコンピューターなどの上位装置からコントローラーユニット４０に読取開始信号が送信され、不図示の給紙モーターにより給紙押圧部材３が駆動されシートＳを給紙ローラー４に押し付ける。そして給紙ローラー４が回転しシートＳを送りローラー５に給送する。
【００２７】
給送されたシートＳは、送りローラー５で装置内のシート搬送路７へ搬送される。このとき、給紙ローラー４で給送されたシートＳが複数枚重なっていた場合、送りローラー５に対向して配置された分離ローラー６によって１枚だけに分離して搬送される。送りローラー５と分離ローラー６はそれぞれくし歯構造になっており、送りローラー５の凸部と分離ローラー６の凹部が、送りローラー５の凹部と分離ローラー６の凸部が、それぞれ噛み合うように配置される。
【００２８】
送りローラー５と分離ローラー６の軸間は軸間調整機構５０によって調整可能であり、送りローラー５と分離ローラー６の外周面の隙間が小切手の分離に最適な隙間となるよう調整される。
【００２９】
図２は、軸間調整機構５０の詳細図である。送りローラー５は送りローラー保持部材５１に設けられた送りローラー駆動軸５１ａに回転可能に支持されている。送りローラー保持部材５１は回転軸５２に回動可能に支持されている。装置右端にはオペレーターが操作可能な軸間調整ダイヤル５５が設けられており、軸間調整ダイヤル５５の中心にはおねじを有したダイヤル軸５５ａが固定されている。ダイヤル軸５５ａにはめねじを有した調整駒５４が調整ダイヤル５５の回転に伴い左右に移動可能に噛み合っている。送りローラー保持部材５１の送りローラー５の反対側には突起部５１ｂが設けられており、コイルばね５３によって調整駒５４と結合されている。オペレーターが調整ダイヤル５５を時計周りに回転させると、調整駒５４と送りローラー保持部材の突起部５１ｂが図中右方向に移動し、送りローラー５と分離ローラー６の軸間が狭くなる。調整ダイヤル５５を反時計周りに回転させると、調整駒５４と送りローラー保持部材の突起部５１ｂが図中左方向に移動し送りローラー５と分離ローラー６の軸間が広くなる。調整ダイヤル５５を回転させて、送りローラー５と分離ローラー６の隙間をシートＳが重送せず、且つ搬送可能なように調整を行う。
【００３０】
図１に戻り、シート搬送路７へ搬送されたシートＳは、シート搬送路７に配置された永久磁石８によってシートＳに印刷されたＭＩＣＲ文字の磁化方向が整列され、搬送ローラー対９によってさらに装置内部へと搬送される。搬送ローラー対９と搬送ローラー対１３の間には、ＭＩＣＲ文字の読取タイミングをとるシート検知センサー１０、重送検知センサー１１、磁気ヘッド１２、磁気ヘッド１２の対向側には、シートＳを磁気ヘッド１２に押圧する対向ローラー１２ａが配置されている。
【００３１】
装置の小型化を図るため、小切手の下側に印刷されたＭＩＣＲ文字を読み取る磁気ヘッド１２が搬送路下方に、シートＳの重送を検知する重送検知センサー１１がその上方に配置されている。分離ローラー６によって１枚に分離されずに複数枚の小切手がシート搬送路７に送りだされた場合、重送検知センサー１１によって重送が検知される。重送が検知されると後続の小切手の給送並びに、重送が検知された小切手の搬送が停止される。ここで、重送した小切手より前に他の小切手がシート搬送路７内にある場合は、小切手の給送のみを停止し、重送した小切手より前の小切手が排紙ローラー対１７によって排紙スタッカー２１に排紙された後に重送した小切手の搬送を停止する。
【００３２】
重送検知センサー１１で重送検知を行うと同時にシートＳは対向ローラー１２ａによってＭＩＣＲ文字が印刷された部分が磁気ヘッド１２に密着されるように押しつけられ、ＭＩＣＲ文字が読み取られる。ＭＩＣＲ文字が磁気ヘッド１２で読み取られたシートＳは搬送ローラー対１３によってエンドーサー１５に搬送される。エンドーサー１５は搬送されたシートＳの裏面に不図示の上位装置との通信により指示された小切手を処理した日付や金融機関の名称等の文字列を印刷する。エンドーサー１５を通過したシートＳは搬送ローラー対１４により搬送され、レジストセンサー１６で画像読み取りのタイミングを取ったのち、シートＳの両面の画像を読み取る画像読取センサー対３０に搬送され、シートＳの両面の画像が読み取られる。画像読取センサー３０ａ,３０ｂには、内部に発光素子であるＬＥＤと、集光レンズと、受光素子を有し、カラー・白黒の両方でシートＳの両面の画像イメージを読取可能である。
【００３３】
シートＳの画像を読み取った後に排紙ローラー対１７により排紙スタッカー２１に排紙される。排紙スッカー２１には排紙されたシートＳが排紙された順に従い排紙スタッカー２１上に整列させるための排紙ガイド１８、１９、排紙されたシートの積載量に応じて揺動可能なシート押さえ２０が設けられている。排紙されたシートＳは排紙ガイド１８、１９によって搬送方向が変更され、整列面２１ａに向かって排出される。
【００３４】
排出されたシートＳはシート押さえ２０によって整列面２１ａに押し付けられながら整列面２１ａに沿って進み、シートストッパー２２で先端が規制される。続けて排紙されるシートも同様に順次排紙されたシートに重なりながら排紙され、シートストッパー２２で先端が揃えられて整列していく。そして、ホッパー２に積載されたシートＳがすべて給紙されると、小切手処理装置１００は作動を停止する。
【００３５】
装置前面に設けられたカード挿入口２３にＩＤカードやＩＣカードなどに代表されるカードを挿入するとカード検知センサー２４によってカードが検知され、不図示の搬送モーターが回転を開始する。搬送モーターによりカード搬送ローラー２５がカード引き込み方向に回転し、カードを装置内に設けられたカード搬送路２６に搬送する。この時、搬送モーターの回転方向は小切手搬送方向と逆方向に回転する。すなわち、排紙ローラー１７と搬送ローラー対１４とが小切手搬送方向とは逆方向にカードを搬送する方向に回転する。
【００３６】
カード搬送路２６を進んだカードは排紙ローラー対１７に到達する。排紙ローラー対１７も搬送ローラーの逆転によりカードを読取ユニット３０に搬送する方向に回転しており、カードを搬送ローラー対１４に搬送する。搬送ローラー対１４に送られたカードは搬送ローラー対１４をそのまま直進し、その先に設けられたカード待避口２７に搬送される。
【００３７】
カードの後端がレジストセンサー１６を過ぎると、不図示の搬送モーターが回転を一旦停止し、小切手搬送方向に回転を開始する。小切手の画像イメージ読取と同様に、レジストセンサー１６で画像読み取りのタイミングを取ったのち、画像読取センサー対３０に搬送され、カードの両面の画像が読み取られる。画像が読み取られたカードは排紙ローラー１７によって排紙スタッカー２１に排紙されカードの読取動作が終了する。このとき排紙ガイド１８はカードの高さよりも、高い位置に配置されているためカードの排出は妨げない。
【００３８】
なお、本発明に係る小切手処理装置は手形・小切手に限らず、商品券などの有価証券、あるいはクーポン券など様々な原稿でも処理が可能である。
【００３９】
次に本発明に係る第１の実施形態の磁気スワイプリーダーを備えた小切手処理装置について図３、図４および図５を用いて詳細に説明する。
【００４０】
図３は本発明の一実施形態に係る小切手読み取り装置の斜視図である。磁気スワイプリーダー３５は、図１に示す第１開閉ユニット１００ｂの搬送ローラー対９と搬送ローラー対１３の従動コロ９ｂおよび１３ｂの上方に設けられている。
【００４１】
磁気スワイプリーダー３５は、カードの厚み分の隙間を有して対向する１対のカードガイド部材と、カードガイド部材のどちらか一方に配設された磁気ヘッドと、カードガイド部材の他方に配設されカードを磁気ヘッドに押し付ける押圧部材とを備えている。磁気スワイプリーダー３５は、カードの厚み方向は薄いが(１５ｍｍ程度)、カードのスワイプ動作を安定させるために、スワイプ方向へは細長く、また高さ方向についても所定の深さを有している。そのため、磁気スワイプリーダー３５はカードのスワイプ方向を小切手のシート搬送路７を搬送される小切手と略平行に隣接するように配置して、装置の大きさに影響を与えない、または磁気スワイプリーダー３５を追加したことによるサイズアップを最小限に留めている。
【００４２】
この時、図４に示すように、磁気スワイプリーダー３５のカードガイド部材の他方側がシートＳの搬送路を形成するように配置すると、さらに装置のサイズアップを最小限にすることができる。
【００４３】
また、給紙ローラー４にはゴムローラーが採用されることが多いが、給紙ローラー４の摩耗などにより給紙ローラー４を交換する時に磁気スワイプリーダー３５を外さなければならず、メンテナンス性が悪くなってしまう。さらに、ホッパー手前側にもせり出してくるように配置してしまうと、装置が奥行方向へ大きくなってしまう。本実施形態においては、磁気スワイプリーダー３５におけるカードを通過させるための溝を搬送路における小切手の通過面と平行となるように配置するため、装置の大型化を低減することができる。
【００４４】
また、図３に示すように、磁気スワイプリーダー３５を含む電装部品ユニットを、第１開閉ユニット１００ｂの上部に設け、その頂部が本体ユニット１００ａと面一にすることで、第１開閉ユニット１００ｂ上部を有効に利用でき、コンパクトな配置を実現することができる。
【００４５】
また、磁気スワイプリーダー３５を第１開閉ユニット１００ｂに設けられた磁気ヘッド１２の上部に設けることによって、送りローラー５付近の構造を簡素にすることができ、先に述べたような軸間調整機構５０を設けるスペースを確保することが出来る。
【００４６】
磁気スワイプリーダー３５はコントローラーユニット４０と不図示のケーブルで接続しており、電力供給およびコントローラーユニット４０との通信を行なっている。不図示のケーブルは第１開閉ユニット１００ｂの回転ヒンジ１００ｄ近傍を這いまわされることで、第１開閉ユニット１００ｂの開閉動作を妨げずにケーブルへの負荷を最小限に抑える構成になっている。
【００４７】
また、第１開閉ユニット１００ｂの装置手前側に給紙ローラー４および送りローラー５を覆っている給紙ローラーカバー４１が設けられている。図５に示すように、給紙ローラーカバー４１は磁気スワイプリーダー３５とは無関係に取り外し可能で、給紙ローラーカバー４１を取り外すだけで給紙ローラー４および送りローラー５を装置本体から取り外すことができるため、ユーザーによる給紙ローラー４および送りローラー５の交換が可能である。
【００４８】
また、図３に示すように、Ｕ字形状に前記本体ユニットの外周に沿って延びる搬送路の屈曲部付近において搬送路７を横断するように、磁気スワイプリーダー３５と画像読取センサー３０とエンドーサー１５とを直線状に並べると、装置全体として凹凸の少ないまとまりのある外観にすることができる。
【００４９】
次に本発明に係る動作について図３、図４および図６を用いて説明する。
【００５０】
図３に示すように、第１開閉ユニット１００ｂが閉じた状態、すなわち第１開閉検知センサー３１が閉じた状態を検知している時に磁気スワイプリーダー３５によりカードの磁気ストライプの磁気情報を読み取った場合、その磁気情報に係る信号が生成され、不図示のケーブルを経由してコントローラーユニット４０に送信される。コントローラーユニット４０は受信した信号のデコード処理を行ない、データはホストコンピューターのような上位装置へ送信され、名前等の情報が自動で処理システムに入力される。
【００５１】
図４に示すように、第１開閉ユニット１００ｂが開いた状態で磁気スワイプリーダー３５により磁気情報の読み取りを行なうと、第１開閉ユニット１００ｂがロックされていないため不安定な状態でスワイプすることになり、正確に情報を読み取ることができないことがある。そのため、第１開閉検知センサー３１によって第１開閉ユニット１００ｂが開いていると検知した場合は、磁気スワイプリーダー３５による読み取りをコントローラーユニット４０により行なわないように制御する。または、第１開閉検知センサー３１によって第１開閉ユニット１００ｂが開いていると検知している時に磁気スワイプリーダー３５から読み取りの信号がコントローラーユニット４０に送信された場合は、コントローラーユニット４０でのデコード処理を行なわないとともに、ホストコンピューターのような上位装置のディスプレイ上に、第１開閉ユニット１００ｂを閉じてから再度磁気スワイプリーダーによる読み取りを促す画面を表示してもよい。その他、ユーザーへ報知するために、報知音やＬＥＤ等の証明で報知するなどのいずれの方法も適用できる。
【００５２】
小切手処理装置としては、すなわち、第１開閉ユニット１００ｂが閉じている時は磁気スワイプリーダー３５での読み取りを有効とし、第１開閉ユニット１００ｂが開いている時は磁気スワイプリーダー３５での読み取りを無効とすることができる。ゆえに、第１開閉ユニット１００ｂが開いている不安定な状態での読み取りを無効とすることで、磁気情報の誤読率を低減することができる。
【００５３】
なお、本発明に係る実施形態において、第１開閉ユニット１００ｂの他に第２開閉ユニット１００ｃも設けられているが、図６に示すように、第２開閉ユニット１００ｃが開いている時は、磁気スワイプリーダー３５の読み取りに影響を及ぼしにくいため、読み取りを有効となるように制御してもよい。但し、第２開閉ユニット１００ｃが開いていることにより、予期せぬ振動等が加わる可能性を考慮し、磁気スワイプリーダー３５の読み取りを無効にすることが好ましい。いずれの場合においても、図６に示すように第１開閉ユニット１００ｂが開いた状態であれば、読み取りは無効にすることが好ましい。
【００５４】
（第二実施形態）
次に本発明に係る第２の実施形態について図７および図８を用いて説明する。基本的な構成は第一実施形態と同様であるため、説明は割愛し、異なる部分に関してのみ詳述する。
【００５５】
磁気スワイプリーダー３５は、第１開閉ユニット１００ｂの搬送ローラー対９と搬送ローラー対１３の従動コロ９ｂおよび１３ｂの上方に設けられている。
【００５６】
図７に示すように、第１開閉ユニット１００ｂには第１コンタクト部４２が設けられており、第１コンタクト部４２は磁気スワイプリーダー３５の電力供給部、または信号の伝達部、またはその両方と接続されている。また、本体ユニット１００ａ側には本体コンタクト部４３が設けられており、コントローラーユニット４０と接続されている。第１コンタクト部４２および本体コンタクト部４３は、装置が処理可能な最大サイズのシートよりも上方に配置されており、最大サイズのシートを搬送するときにも邪魔にならない位置に配置されている。第１開閉ユニット１００ｂが閉じた状態の時、第１コンタクト部４２と本体コンタクト部４３が接触し、コントローラーユニット４０から磁気スワイプリーダー３５への電力供給、または信号の伝達、またはその両方が可能となる。
【００５７】
図８は、第１開閉ユニット１００ｂを開いた状態を示しており、この状態においては、第１コンタクト部４２と本体コンタクト部４３が非接触となり、コントローラーユニット４０から磁気スワイプリーダー３５への電力供給、または信号の伝達、またはその両方が切断されている。
【００５８】
すなわち、第１開閉ユニット１００ｂが閉じている時は磁気スワイプリーダー３５での読み取りを可能とし、第１開閉ユニット１００ｂが開いている時は磁気スワイプリーダー３５での読み取りを不可能とすることができる。ゆえに、第１開閉ユニット１００ｂが開いている不安定な状態での読み取りを不可能とすることで、磁気情報の誤読を防止することができる。
【００５９】
なお、本発明は前述の実施形態に限定されるものではない。例えば、前記実施形態では、第１開閉ユニット１００ｂに磁気スワイプリーダー３５を配置しているが、磁気スワイプリーダー３５の代わりにＩＣカードリーダーを配置してもよい。ＩＣカードリーダーも厚み方向は薄いので、磁気スワイプリーダー３５と同じ方向(小切手のシート搬送路７と略平行)に配置すると、装置の大きさに影響を与えない、またはＩＣカードリーダーを追加したことによるサイズアップを最小限にすることができる。
【符号の説明】
【００６０】
Ｓ  シート
１  トレイ
２、２１０、３１０、４１０  ホッパー
２ａ  積載検知センサー
３  給紙押圧部材
４、２１２、３１２，４１２  給紙ローラー
５、２１５  送りローラー
６、２１６  分離ローラー
７、２１７  シート搬送路
８  永久磁石
９、１３、１４、２１８、２２１、２２３  搬送ローラー対
１０  シート検知センサー
１１  重送検知センサー
１２、２２０  磁気ヘッド
１２ａ  対向ローラー
１５、２２２  エンドーサー
１６、２２４  レジストセンサー
１７、２２６  排紙ローラー対
１８  排紙ガイド
１９  排紙ガイド
２０  シート押さえ
２１、２２７  排紙スタッカー
２１ａ  整列面
２２  シートストッパー
２３  カード挿入口
２４  カード検知センサー
２５  カード搬送ローラー
２６  カード搬送路
２７  カード退避口
３０、２２５  画像読取センサー対
３０ａ、３０ｂ  画像読取センサー
３１  第１開閉検知センサー
３２  第２開閉検知センサー
３５、３３５、４３５  磁気スワイプリーダー
４０、２１３  コントローラーユニット
４１  給紙ローラーカバー
４２  第１コンタクト部
４３  本体コンタクト部
５０  軸間調整機構
５１  送りローラー保持部材
５１ａ  送りローラー駆動軸
５１ｂ  突起部
５２  回転軸
５３  コイルばね
５４  調整駒
５５  軸間調整ダイヤル
５５ａ  ダイヤル軸
６０  操作パネル
１００、２００、３００、４００  小切手処理装置
１００ａ、２００ａ  本体ユニット
１００ｂ、２００ｂ  第１開閉ユニット
１００ｃ、２００ｃ  第２開閉ユニット
１００ｄ、２００ｄ  回転ヒンジ
２１１  押圧板
２１９  紙端検知センサー
【図１】
2017199327.tif 000003
【図２】
2017199327.tif 000004
【図３】
2017199327.tif 000005
【図４】
2017199327.tif 000006
【図５】
2017199327.tif 000007
【図６】
2017199327.tif 000008
【図７】
2017199327.tif 000009
【図８】
2017199327.tif 000010
【図９】
2017199327.tif 000011
【図１０】
2017199327.tif 000012